(57)【要約】【課題】アンテナケーブル長の変更等があった場合に選局周波数に対して正確にアンテナ整合器を制御して、アンテナを所望の周波数にインピーダンスマッチングする。【解決手段】制御装置１４は、アンテナ１１を所望の周波数にインピーダンスマッチングするためのアンテナ整合器１２とケーブル１３を介して着脱可能に接続され、アンテナ整合器１２を周波数毎の直流電圧によって制御する。制御装置１４は、アンテナ整合器１２に接続する側のケーブル１３の端を短絡させ、短絡させたケーブル１３の電流経路における電圧降下を測定し、測定したケーブル１３の電圧降下値に基づいてアンテナ整合器１２を制御するための直流電圧の電圧降下予測値を算出し、算出した電圧降下予測値に基づいて記憶手段１５の直流電圧設定値１５ａを補正し、補正した直流電圧をアンテナ整合器１２の制御用直流電圧としてケーブル１３を介してアンテナ整合器１２に供給する。【選択図】図１
2005229203.tif 000002
【特許請求の範囲】
【請求項１】
アンテナを所望の周波数にインピーダンスマッチングするアンテナ整合器とケーブルを介して接続可能とし、該アンテナ整合器を周波数毎に設定されている直流電圧値によって制御するアンテナ整合器の制御装置において、該制御装置は、前記アンテナ整合器に接続する側の前記ケーブル端を短絡させる短絡手段と、該短絡させたケーブルの電流経路における電圧降下を測定する電圧降下測定手段とを備えることを特徴とするアンテナ整合器の制御装置。
【請求項２】
アンテナを所望の周波数にインピーダンスマッチングするアンテナ整合器とケーブルを介して接続可能とし、該アンテナ整合器を周波数毎に設定されている直流電圧値によって制御するアンテナ整合器の制御装置において、該制御装置は、前記アンテナ整合器に接続する側の前記ケーブル端を短絡させる短絡手段と、該短絡させたケーブルの電流経路における電圧降下を測定する電圧降下測定手段と、該測定した前記ケーブルの電圧降下値に基づいて前記アンテナ整合器を制御するための直流電圧の電圧降下予測値を算出する電圧降下予測値算出手段と、該算出した電圧降下予測値に基づいて前記設定されている直流電圧値を補正し、該補正した直流電圧を前記アンテナ整合器の制御用直流電圧として前記ケーブルを介して前記アンテナ整合器に供給する直流電圧供給手段とを備えることを特徴とするアンテナ整合器の制御装置。
【請求項３】
前記直流電圧供給手段は、前記電圧降下予測値算出手段で算出された電圧降下予測値を記憶すると共に、該記憶した電圧降下予測値に基づいて前記設定されている直流電圧値を補正し、該補正した直流電圧を前記アンテナ整合器の制御用直流電圧として前記ケーブルを介して前記アンテナ整合器に供給することを特徴とする請求項２に記載のアンテナ整合器の制御装置。
【請求項４】
前記制御装置は、周波数毎の直流電圧設定値を記憶する記憶手段を備え、前記直流電圧供給手段は、前記電圧降下予測値算出手段で算出された電圧降下予測値に基づいて前記記憶手段に記憶されている直流電圧設定値を補正し、該補正した直流電圧設定値を前記アンテナ整合器の制御用直流電圧値として前記記憶手段に記憶し、該記憶手段から読み出される制御用直流電圧値に応じた直流電圧を前記ケーブルを介して前記アンテナ整合器に供給することを特徴とする請求項２に記載のアンテナ整合器の制御装置。
【請求項５】
前記ケーブルは、任意長のアンテナ整合器制御専用ケーブルであることを特徴とする請求項１乃至４のいずれか１に記載のアンテナ整合器の制御装置。
【請求項６】
前記ケーブルは、任意長のアンテナ同軸ケーブルであることを特徴とする請求項１乃至４のいずれか１に記載のアンテナ整合器の制御装置。
【請求項７】
前記ケーブルは、任意長のアンテナ並行フィーダ線であることを特徴とする請求項１乃至４のいずれか１に記載のアンテナ整合器の制御装置。
【請求項８】
前記ケーブルは、前記アンテナ整合器と着脱可能に接続され、前記短絡手段は、前記ケーブルが前記アンテナ整合器から取り外された状態で、該アンテナ整合器に接続する側の前記ケーブル端に取り付けられた短絡端子であることを特徴とする請求項１又は２に記載のアンテナ整合器の制御装置。
【請求項９】
前記短絡手段は、前記アンテナ整合器に設けられ、前記制御装置からの指示により前記ケーブル端を機械的に短絡することを特徴とする請求項１又は２に記載のアンテナ整合器の制御装置。
【請求項１０】
前記直流電圧供給手段により前記アンテナ整合器に制御用直流電圧を供給した後、前記制御装置の電源を自動的にオフする電源制御手段を備えることを特徴とする請求項２に記載のアンテナ整合器の制御装置。
【請求項１１】
アンテナを所望の周波数にインピーダンスマッチングするアンテナ整合器と、該アンテナ整合器を周波数毎に設定されている直流電圧値によって制御する制御装置とを備え、前記アンテナ整合器と前記制御装置とがケーブルを介して接続されたアンテナ整合器の制御システムにおいて、前記アンテナ整合器に接続する側の前記ケーブル端を短絡させる短絡手段と、該短絡させたケーブルの電流経路における電圧降下を測定する電圧降下測定手段と、該測定した前記ケーブルの電圧降下値に基づいて前記アンテナ整合器を制御するための直流電圧の電圧降下予測値を算出する電圧降下予測値算出手段と、該算出した電圧降下予測値に基づいて前記設定されている直流電圧値を補正し、該補正した直流電圧を前記アンテナ整合器の制御用直流電圧として前記ケーブルを介して前記アンテナ整合器に供給する直流電圧供給手段とを備えることを特徴とするアンテナ整合器の制御システム。
【請求項１２】
請求項１乃至１０のいずれか１に記載のアンテナ整合器の制御装置を備えた無線機。
【請求項１３】
アンテナを所望の周波数にインピーダンスマッチングするアンテナ整合器とケーブルを介して接続可能とし、該アンテナ整合器を周波数毎に設定されている直流電圧値によって制御する制御装置を用いたアンテナ整合器の制御方法において、前記アンテナ整合器に接続する側の前記ケーブル端を短絡させる短絡ステップと、該短絡させたケーブルの電流経路における電圧降下を測定する電圧降下測定ステップと、該測定した前記ケーブルの電圧降下値に基づいて前記アンテナ整合器を制御するための直流電圧の電圧降下予測値を算出する電圧降下予測値算出ステップと、該算出した電圧降下予測値に基づいて前記設定されている直流電圧値を補正し、該補正した直流電圧を前記アンテナ整合器の制御用直流電圧として前記ケーブルを介して前記アンテナ整合器に供給する直流電圧供給ステップとを有することを特徴とするアンテナ整合器の制御方法。
【請求項１４】
前記直流電圧供給ステップにおいて、前記電圧降下予測値算出ステップにて算出された電圧降下予測値を記憶すると共に、該記憶した電圧降下予測値に基づいて前記設定されている直流電圧値を補正し、該補正した直流電圧を前記アンテナ整合器の制御用直流電圧として前記ケーブルを介して前記アンテナ整合器に供給することを特徴とする請求項１３に記載のアンテナ整合器の制御方法。
【請求項１５】
前記制御装置は、周波数毎の直流電圧設定値を記憶した記憶手段を有し、前記直流電圧供給ステップにおいて、前記電圧降下予測値算出ステップにて算出された電圧降下予測値に基づいて前記記憶手段に記憶されている直流電圧設定値を補正し、該補正した直流電圧設定値を前記アンテナ整合器の制御用直流電圧値として前記記憶手段に記憶し、該記憶手段から読み出される制御用直流電圧値に応じた直流電圧を前記ケーブルを介して前記アンテナ整合器に供給することを特徴とする請求項１３に記載のアンテナ整合器の制御方法。
【発明の詳細な説明】
【技術分野】
【０００１】
本発明は、アンテナ整合器の制御装置、無線機、アンテナ整合器の制御システム及び制御方法、より詳細には、無線機に利用可能なアンテナ整合器の制御装置、該制御装置を備えた無線機、アンテナ整合器の制御システム及び制御方法に関し、特に、アンテナ直下に設置され、ケーブルを介して直流電圧値によって制御されるアンテナ整合器の制御方法の改良に関する。
【背景技術】
【０００２】
アンテナのインピーダンスマッチングをとるために直流電圧により容量等を制御してアンテナ系のインピーダンスマッチングをとるアンテナ整合器が使用されている。従来、使用されているアンテナ整合器の制御方法として、特許文献１には、あらかじめ設定された制御データによりアンテナ整合器制御用ケーブルに制御用直流電圧を供給して、アンテナ整合器を制御する方法が開示されている。また、特許文献２には、送受信電波を伝送するアンテナケーブルを用いてアンテナ整合器を制御する直流電圧を供給して、アンテナ整合器を制御する方法が開示されている。
【特許文献１】特開平９−９３１４４号公報
【特許文献２】特開２００１−２６７９５０号公報
【発明の開示】
【発明が解決しようとする課題】
【０００３】
しかしながら、従来のアンテナ整合器の制御方法にあっては、以下のような問題点があった。
上記特許文献１に記載の発明のように、あらかじめ設定された電圧値の制御データを使用してアンテナ整合器を制御する方法において、任意長のアンテナケーブル又は専用制御ケーブルを介してアンテナ直下のアンテナ整合器を受信装置側の制御回路で制御する場合、アンテナケーブル又は専用制御ケーブルの導体抵抗によって発生する直流電圧の電圧降下により、アンテナ整合器での正確な整合ができなくなるという問題点があった。
【０００４】
また、上記特許文献２に記載の発明のように、アンテナケーブル又は専用制御ケーブルでの電圧降下を見込んだ制御電圧値を予め設定しておく方法では、ケーブル長を限定しなければならず、アンテナや受信装置の設置自由度の低下や、ケーブル長が明確でなければならない等、使用者のアンテナ設置に対する負担が大きくなるという問題点があった。
【０００５】
本発明は、上述のごとき実情に鑑みてなされたものであり、アンテナケーブル長や機器の設置状態に変更等があった場合でも選局周波数に対してより正確にアンテナ整合器を制御して、アンテナを所望の周波数にインピーダンスマッチングすることができるアンテナ整合器の制御装置、該制御装置を備えた無線機、アンテナ整合器の制御システム及び制御方法を提供すること、を目的としてなされたものである。
【課題を解決するための手段】
【０００６】
上記課題を解決するために、第１の技術手段は、アンテナを所望の周波数にインピーダンスマッチングするアンテナ整合器とケーブルを介して接続可能とし、該アンテナ整合器を周波数毎に設定されている直流電圧値によって制御するアンテナ整合器の制御装置において、該制御装置は、前記アンテナ整合器に接続する側の前記ケーブル端を短絡させる短絡手段と、該短絡させたケーブルの電流経路における電圧降下を測定する電圧降下測定手段とを備えることを特徴としたものである。
【０００７】
第２の技術手段は、アンテナを所望の周波数にインピーダンスマッチングするアンテナ整合器とケーブルを介して接続可能とし、該アンテナ整合器を周波数毎に設定されている直流電圧値によって制御するアンテナ整合器の制御装置において、該制御装置は、前記アンテナ整合器に接続する側の前記ケーブル端を短絡させる短絡手段と、該短絡させたケーブルの電流経路における電圧降下を測定する電圧降下測定手段と、該測定した前記ケーブルの電圧降下値に基づいて前記アンテナ整合器を制御するための直流電圧の電圧降下予測値を算出する電圧降下予測値算出手段と、該算出した電圧降下予測値に基づいて前記設定されている直流電圧値を補正し、該補正した直流電圧を前記アンテナ整合器の制御用直流電圧として前記ケーブルを介して前記アンテナ整合器に供給する直流電圧供給手段とを備えることを特徴としたものである。
【０００８】
第３の技術手段は、第２の技術手段において、前記直流電圧供給手段は、前記電圧降下予測値算出手段で算出された電圧降下予測値を記憶すると共に、該記憶した電圧降下予測値に基づいて前記設定されている直流電圧値を補正し、該補正した直流電圧を前記アンテナ整合器の制御用直流電圧として前記ケーブルを介して前記アンテナ整合器に供給することを特徴としたものである。
【０００９】
第４の技術手段は、第２の技術手段において、前記制御装置は、周波数毎の直流電圧設定値を記憶する記憶手段を備え、前記直流電圧供給手段は、前記電圧降下予測値算出手段で算出された電圧降下予測値に基づいて前記記憶手段に記憶されている直流電圧設定値を補正し、該補正した直流電圧設定値を前記アンテナ整合器の制御用直流電圧値として前記記憶手段に記憶し、該記憶手段から読み出される制御用直流電圧値に応じた直流電圧を前記ケーブルを介して前記アンテナ整合器に供給することを特徴としたものである。
【００１０】
第５の技術手段は、第１乃至第４のいずれか１の技術手段において、前記ケーブルは、任意長のアンテナ整合器制御専用ケーブルであることを特徴としたものである。
【００１１】
第６の技術手段は、第１乃至第４のいずれか１の技術手段において、前記ケーブルは、任意長のアンテナ同軸ケーブルであることを特徴としたものである。
【００１２】
第７の技術手段は、第１乃至第４のいずれか１の技術手段において、前記ケーブルは、任意長のアンテナ並行フィーダ線であることを特徴としたものである。
【００１３】
第８の技術手段は、第１又は第２の技術手段において、前記ケーブルは、前記アンテナ整合器と着脱可能に接続され、前記短絡手段は、前記ケーブルが前記アンテナ整合器から取り外された状態で、該アンテナ整合器に接続する側の前記ケーブル端に取り付けられた短絡端子であることを特徴としたものである。
【００１４】
第９の技術手段は、第１又は第２の技術手段において、前記短絡手段は、前記アンテナ整合器に設けられ、前記制御装置からの指示により前記ケーブル端を機械的に短絡することを特徴としたものである。
【００１５】
第１０の技術手段は、第２の技術手段において、前記直流電圧供給手段により前記アンテナ整合器に制御用直流電圧を供給した後、前記制御装置の電源を自動的にオフする電源制御手段を備えることを特徴としたものである。
【００１６】
第１１の技術手段は、アンテナを所望の周波数にインピーダンスマッチングするアンテナ整合器と、該アンテナ整合器を周波数毎に設定されている直流電圧値によって制御する制御装置とを備え、前記アンテナ整合器と前記制御装置とがケーブルを介して接続されたアンテナ整合器の制御システムにおいて、前記アンテナ整合器に接続する側の前記ケーブル端を短絡させる短絡手段と、該短絡させたケーブルの電流経路における電圧降下を測定する電圧降下測定手段と、該測定した前記ケーブルの電圧降下値に基づいて前記アンテナ整合器を制御するための直流電圧の電圧降下予測値を算出する電圧降下予測値算出手段と、該算出した電圧降下予測値に基づいて前記設定されている直流電圧値を補正し、該補正した直流電圧を前記アンテナ整合器の制御用直流電圧として前記ケーブルを介して前記アンテナ整合器に供給する直流電圧供給手段とを備えることを特徴としたものである。
【００１７】
第１２の技術手段は、第１乃至第１０のいずれか１の技術手段に記載のアンテナ整合器の制御装置を備えた無線機であることを特徴としたものである。
【００１８】
第１３の技術手段は、アンテナを所望の周波数にインピーダンスマッチングするアンテナ整合器とケーブルを介して接続可能とし、該アンテナ整合器を周波数毎に設定されている直流電圧値によって制御する制御装置を用いたアンテナ整合器の制御方法において、前記アンテナ整合器に接続する側の前記ケーブル端を短絡させる短絡ステップと、該短絡させたケーブルの電流経路における電圧降下を測定する電圧降下測定ステップと、該測定した前記ケーブルの電圧降下値に基づいて前記アンテナ整合器を制御するための直流電圧の電圧降下予測値を算出する電圧降下予測値算出ステップと、該算出した電圧降下予測値に基づいて前記設定されている直流電圧値を補正し、該補正した直流電圧を前記アンテナ整合器の制御用直流電圧として前記ケーブルを介して前記アンテナ整合器に供給する直流電圧供給ステップとを有することを特徴としたものである。
【００１９】
第１４の技術手段は、第１３の技術手段において、前記直流電圧供給ステップにおいて、前記電圧降下予測値算出ステップにて算出された電圧降下予測値を記憶すると共に、該記憶した電圧降下予測値に基づいて前記設定されている直流電圧値を補正し、該補正した直流電圧を前記アンテナ整合器の制御用直流電圧として前記ケーブルを介して前記アンテナ整合器に供給することを特徴としたものである。
【００２０】
第１５の技術手段は、第１３の技術手段において、前記制御装置は、周波数毎の直流電圧設定値を記憶した記憶手段を有し、前記直流電圧供給ステップにおいて、前記電圧降下予測値算出ステップにて算出された電圧降下予測値に基づいて前記記憶手段に記憶されている直流電圧設定値を補正し、該補正した直流電圧設定値を前記アンテナ整合器の制御用直流電圧値として前記記憶手段に記憶し、該記憶手段から読み出される制御用直流電圧値に応じた直流電圧を前記ケーブルを介して前記アンテナ整合器に供給することを特徴としたものである。
【発明の効果】
【００２１】
アンテナケーブルにおける周波数毎の電圧降下設定値を補正した直流電圧補正値によりアンテナ整合器を正確に制御することができるため、アンテナケーブル長や機器の設置状態に変更があったり、個々の装置のインピーダンス特性等にバラつきがあるような場合であっても、選局周波数に対してより正確にアンテナを所望の周波数にインピーダンスマッチングすることができる。
【発明を実施するための最良の形態】
【００２２】
以下、添付図面を参照しながら本発明に好適なアンテナ整合器の制御装置、該制御装置を備えた無線機、アンテナ整合器の制御システム及び制御方法の実施形態について詳細に説明する。尚、実施形態を説明する全図において、同様の機能を有する部分には、同じ符号を付け、その繰り返しの説明は省略する。
【００２３】
図１は、本発明の一実施形態に係わるアンテナ整合器の制御システムの構成例を示すブロック図で、図中、１０はアンテナ整合器の制御システムで、該アンテナ整合器の制御システム１０（以下、制御システム１０という）は、テレビやラジオ等の放送電波を受信するためのアンテナ１１と、周波数毎の直流電圧によってアンテナ１１を所望の周波数にインピーダンスマッチングするアンテナ整合器１２と、同軸アンテナケーブルまたは専用制御ケーブル等からなるアンテナケーブル１３（以下、ケーブル１３という）と、アンテナ整合器１２を周波数毎に設定されている直流電圧値によって制御する制御装置１４と、無線機の選局情報等を管理するマイコン１９とを有し、アンテナ整合器１２と制御装置１４とがケーブル１３を介して接続されている。上記制御装置１４は、テレビやラジオ等放送の受信装置を含む無線機全般に内蔵することができ、無線機とアンテナ１１間の整合を行うアンテナ整合器１２を直流電圧によって制御する。
【００２４】
制御システム１０は、図９において後述する短絡手段を有し、この短絡手段は、アンテナ整合器１２に接続する側のケーブル１３の端を短絡させるもので、例えば、ケーブル１３が同軸アンテナケーブルである場合、同軸アンテナケーブルを構成する芯線と外導体を短絡する。また、ケーブル１３が専用制御ケーブルやアンテナ並行フィーダ線である場合、専用制御ケーブルやアンテナ並行フィーダ線を構成する＋線と−線を短絡する。具体的な短絡手段としては、例えば、短絡端子や、リレー器等を用いて機械的に短絡するといった手段を用いることができる。
【００２５】
制御装置１４は、周波数毎の直流電圧設定値１５ａを記憶するメモリ等の記憶手段１５と、アンテナ整合器１２の制御用直流電圧をケーブル１３を介して供給する直流電圧供給手段１６と、上記短絡手段によって短絡させたケーブル１３の電流経路における電圧降下を測定する電圧降下測定手段１７と、測定したケーブル１３の電圧降下値に基づいてアンテナ整合器１２を制御するための直流電圧の電圧降下予測値を算出する電圧降下予測値算出手段１８とを備え、直流電圧供給手段１６は、電圧降下予測値算出手段１８で算出した電圧降下予測値に基づいて記憶手段１５の直流電圧設定値１５ａを補正し、補正した直流電圧をアンテナ整合器１２の制御用直流電圧としてケーブル１３を介してアンテナ整合器１２に供給する。この際、記憶手段１５に記憶されている周波数毎の直流電圧設定値１５ａは、制御装置１４を備えた無線機の選局情報等を管理するマイコン１９からの選局情報により選択される。
【００２６】
尚、アンテナ整合器１２に制御用直流電圧を供給した後、制御装置１４の電源を自動的にオフにする電源制御手段（図示せず）を備えるようにしてもよく、この場合、制御装置１４を備えることにより、消費電力を低減し、省エネルギーかつ環境に配慮した受信装置を実現することができる。
【００２７】
図２は、本発明が適用されるアンテナ整合器の制御方法の一例を説明するためのフロー図である。本例では、図１に示した制御装置１４によりアンテナ整合器１２を制御する方法について、ケーブル１３に同軸アンテナケーブル（以下、本例では同軸アンテナケーブル１３という）を適用した場合を代表例として説明するものとする。
まず、制御装置１４を備えた受信装置の設置時又は同軸アンテナケーブル１３の交換時等において、アンテナ整合器１２側の同軸アンテナケーブル１３の端を短絡する（ステップＳ１）。同軸アンテナケーブル１３の場合、その芯線と外導体とを短絡端子又はリレー等で機械的に短絡させることができる。次に、同軸アンテナケーブル１３の芯線から外導体を経る電流経路における電圧降下を電圧降下測定手段１７により測定し（ステップＳ２）、測定した電圧値を用いて電圧降下予測値算出手段１８によって同軸アンテナケーブル１３におけるアンテナ整合器１２の制御用直流電圧の電圧降下予測値を算出する（ステップＳ３）。算出した電圧降下予測値に基づいて記憶手段１５の直流電圧設定値１５ａを補正し（ステップＳ４）、直流電圧設定値１５ａを補正して得られた制御用直流電圧を同軸アンテナケーブル１３を介してアンテナ整合器１２に供給する（ステップＳ５）。これにより、アンテナ整合器１２は、より正確に、アンテナ１１を所望の周波数にインピーダンスマッチングすることができる。
【００２８】
図３は、本発明の他の実施形態に係わるアンテナ整合器の制御システムの構成例を示すブロック図で、制御システム１０は、電圧降下予測値算出手段１８によって算出したケーブル１３における制御用直流電圧の電圧降下予測値１６ａを直流電圧供給手段１６に記憶する。その他の構成については図１に示した制御システム１０と同様の構成とする。直流電圧供給手段１６は、上記のように直流電圧供給手段１６に記憶した電圧降下予測値１６ａに基づいて記憶手段１５の直流電圧設定値１５ａを補正し、補正した直流電圧をアンテナ整合器１２の制御用直流電圧としてケーブル１３を介してアンテナ整合器１２に供給する。
【００２９】
図４は、本発明が適用されるアンテナ整合器の制御方法の他の例を説明するためのフロー図である。本例では、図３に示した制御装置１４によりアンテナ整合器１２を制御する方法について、ケーブル１３に同軸アンテナケーブル（以下、本例では同軸アンテナケーブル１３という）を適用した場合を代表例として説明するものとする。
まず、制御装置１４を備えた受信装置の設置時又は同軸アンテナケーブル１３の交換時等において、アンテナ整合器１２側の同軸アンテナケーブル１３の端を短絡する（ステップＳ１１）。同軸アンテナケーブル１３の場合、その芯線と外導体とを短絡端子又はリレー等で機械的に短絡することができる。次に、同軸アンテナケーブル１３の芯線から外導体を経る電流経路における電圧降下を電圧降下測定手段１７により測定し（ステップＳ１２）、測定した電圧値を用いて電圧降下予測値算出手段１８によって同軸アンテナケーブル１３におけるアンテナ整合器１２の制御用直流電圧の電圧降下予測値を算出する（ステップＳ１３）。算出した電圧降下予測値を直流電圧供給手段１６に記憶し（ステップＳ１４）、直流電圧供給手段１６は、記憶した電圧降下予測値１６ａに基づいて記憶手段１５の直流電圧設定値１５ａを補正し（ステップＳ１５）、直流電圧設定値１５ａを補正して得られた制御用直流電圧を同軸アンテナケーブル１３を介してアンテナ整合器１２に供給する（ステップＳ１６）。これにより、アンテナ整合器１２は、より正確に、アンテナ１１を所望の周波数にインピーダンスマッチングすることができる。
【００３０】
図５は、本発明の他の実施形態に係わるアンテナ整合器の制御システムの構成例を示すブロック図で、制御システム１０は、電圧降下予測値算出手段１８によって算出したケーブル１３における制御用直流電圧の電圧降下予測値に基づいて記憶手段１５に記憶されている選局周波数毎の直流電圧設定値を補正して直流電圧補正値１５ｂとして記憶手段１５に記憶する。その他の構成については図１に示した制御システム１０と同様の構成とする。直流電圧供給手段１６は、記憶手段１５に記憶した直流電圧補正値１５ｂに応じた直流電圧をアンテナ整合器１２の制御用直流電圧としてケーブル１３を介してアンテナ整合器１２に供給する。
【００３１】
図６は、本発明が適用されるアンテナ整合器の制御方法の他の例を説明するためのフロー図である。本例では、図５に示した制御装置１４によりアンテナ整合器１２を制御する方法について、ケーブル１３に同軸アンテナケーブル（以下、本例では同軸アンテナケーブル１３という）を適用した場合を代表例として説明するものとする。
まず、制御装置１４を備えた受信装置の設置時又は同軸アンテナケーブル１３の交換時等において、アンテナ整合器１２側の同軸アンテナケーブル１３の端を短絡する（ステップＳ２１）。同軸アンテナケーブル１３の場合、その芯線と外導体とを短絡端子又はリレー等で機械的に短絡することができる。次に、同軸アンテナケーブル１３の芯線から外導体を経る電流経路における電圧降下を電圧降下測定手段１７により測定し（ステップＳ２２）、測定した電圧値を用いて電圧降下予測値算出手段１８によって同軸アンテナケーブル１３におけるアンテナ整合器１２の制御用直流電圧の電圧降下予測値を算出する（ステップＳ２３）。算出した電圧降下予測値に基づいて記憶手段１５の直流電圧設定値を補正し（ステップＳ２４）、直流電圧設定値を補正して得られた制御用直流電圧値（すなわち、直流電圧補正値１５ｂ）を記憶手段１５に記憶し（ステップＳ２５）、記憶した制御用直流電圧値（直流電圧補正値１５ｂ）に応じた直流電圧を同軸アンテナケーブル１３を介してアンテナ整合器１２に供給する（ステップＳ２６）。これにより、アンテナ整合器１２は、より正確に、アンテナ１１を所望の周波数にインピーダンスマッチングすることができる。
【００３２】
図７は、ケーブル１３を短絡させる短絡手段の一例を示す図で、図中、２０は短絡端子である。例えば、ケーブル１３を同軸アンテナケーブルとした場合、同軸アンテナケーブルはアンテナ整合器１２に対して着脱可能とし、同軸アンテナケーブルがアンテナ整合器１２から取り外された状態で、例えば、作業者が短絡端子２０を同軸アンテナケーブルの芯線と外導体に接触するように取り付けて短絡させる。
図８は、ケーブル１３を短絡させる短絡手段の他の例を示す図で、図中、３０はリレー器で、該リレー器３０は、アンテナ整合器１２内に設けられ、例えば、ケーブル１３を同軸アンテナケーブルとした場合、リレー器３０の端子を同軸アンテナケーブルの芯線と外導体に接触するように取り付けられる。このリレー器３０は、制御装置１４からの遠隔操作によりスイッチをＯＮ／ＯＦＦ動作して同軸アンテナケーブルを短絡させることができる。
【００３３】
図９は、図１に示したケーブル１３の一例を示す図で、ケーブル１３は、直流電圧供給手段１６に接続される芯線１３ａ，誘電体又は絶縁体１３ｂ，電圧降下測定手段１７に接続される外導体１３ｃを有している。尚、本例に示すケーブル１３は、同軸アンテナケーブル（以下、同軸アンテナケーブル１３という）を代表例として示しているが、例えば、任意長のアンテナ整合器制御専用ケーブルや、アンテナ並行フィーダ線などを適用してもよい。
【００３４】
図９において、直流電圧供給手段１６は、アンテナ整合器１２と制御装置１４とを接続する同軸アンテナケーブル１３の芯線１３ａに直流電圧を供給し、他端での短絡により直流電圧供給端の外導体１３ｃを電圧降下測定手段１７に接続する。電圧降下予測値算出手段１８は、電圧降下測定手段１７により測定された電圧降下に基づいて同軸アンテナケーブル１３における制御用直流電圧の電圧降下予測値を算出する。
【００３５】
尚、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００３６】
【図１】本発明の一実施形態に係わるアンテナ整合器の制御システムの構成例を示すブロック図である。
【図２】本発明が適用されるアンテナ整合器の制御方法の一例を説明するためのフロー図である。
【図３】本発明の他の実施形態に係わるアンテナ整合器の制御システムの構成例を示すブロック図である。
【図４】本発明が適用されるアンテナ整合器の制御方法の他の例を説明するためのフロー図である。
【図５】本発明の他の実施形態に係わるアンテナ整合器の制御システムの構成例を示すブロック図である。
【図６】本発明が適用されるアンテナ整合器の制御方法の他の例を説明するためのフロー図である。
【図７】ケーブルを短絡させる短絡手段の一例を示す図である。
【図８】ケーブルを短絡させる短絡手段の他の例を示す図である。
【図９】図１に示したケーブルの一例を示す図である。
【符号の説明】
【００３７】
１０…アンテナ整合器の制御システム、１１…アンテナ、１２…アンテナ整合器、１３…ケーブル、１３ａ…芯線、１３ｂ…誘電体又は絶縁体、１３ｃ…外導体、１４…制御装置、１５…記憶手段、１５ａ…直流電圧設定値、１５ｂ…直流電圧補正値、１６…直流電圧供給手段、１７…電圧降下測定手段、１８…電圧降下予測値算出手段、１９…マイコン、２０…短絡端子、３０…リレー器。
【図１】
2005229203.tif 000003
【図２】
2005229203.tif 000004
【図３】
2005229203.tif 000005
【図４】
2005229203.tif 000006
【図５】
2005229203.tif 000007
【図６】
2005229203.tif 000008
【図７】
2005229203.tif 000009
【図８】
2005229203.tif 000010
【図９】
2005229203.tif 000011